(57)【要約】【課題】一対のレールが左右で高さが異なる場合でも、支障なく使用することができ、一つの畝用のレール上の茶園管理用台車を隣接する別の畝用のレールに移す作業を一人で容易に行なうことができる茶園管理用台車を提供する。【解決手段】茶園（３）において畝（５）を挟んだ状態で敷設された左右一対のレール（７）上を走行する茶園管理用台車（１）において、茶摘機、刈ナラシ機、消毒装置等の作業装置（９）を取り付ける支持枠（１１）と下端に車輪（１３）を備えた左右一対の脚部（１５ａ）（１５ｂ）とよりなり、各脚部の上端を、各脚部が支持枠に対しレールの長さ方向と直角の方向に回動自在になるように、該支持枠に取り付け、該支持枠と各脚部との間には各脚部を該支持枠に対し所望の角度にてロックするロック手段（３１）を備えさせたことを特徴とする茶園管理用台車。【選択図】図１
2005270061.tif 000002
【特許請求の範囲】
【請求項１】
茶園において畝を挟んだ状態で敷設された左右一対のレール上を走行する茶園管理用台車において、
茶摘機、刈ナラシ機、消毒装置等の作業装置を取り付ける支持枠と下端に車輪を備えた左右一対の脚部とよりなり、各脚部の上端を、各脚部が支持枠に対しレールの長さ方向と直角の方向に回動自在になるように、該支持枠に取り付け、該支持枠と各脚部との間には各脚部を該支持枠に対し所望の角度にてロックするロック手段を備えさせたことを特徴とする茶園管理用台車。
【請求項２】
前記支持枠は左右各脚部に対しそれぞれ水平方向に回動自在であることを特徴とする請求項１に記載の茶園管理用台車。
【請求項３】
前記ロック手段は、中空の筒状体の開口端にばね体を固定し、該ばね体には挿通孔を備えさせ、雄ねじ棒をばね体の挿通孔と筒状体とに進退自在に挿通させ、ばね体には複数に分割した雌ねじ体を雄ねじ棒に臨ませた状態で取り付け、ばね体は常時雌ねじ体を雄ねじ棒から離れる方向に付勢し、更に、雄ねじ棒には締付けキャップを雄ねじ棒の長さ方向に移動自在に外嵌し、該締付けキャップをばね体に嵌め付けることにより雌ねじ体が雄ねじ棒に螺合するようにしてなるものであることを特徴とする請求項１又は２に記載の茶園管理用台車。
【発明の詳細な説明】
【技術分野】
【０００１】
本発明は、茶園管理用台車に関するものであり、更に詳しくは、例えば茶摘機、刈ナラシ機、消毒装置等の作業装置を取り付けた状態で、茶園において畝を挟んで敷設された左右一対のレール上を走行する茶園管理用台車に係るものである。
【背景技術】
【０００２】
このような茶園管理用台車は、特開平１−１７４３０１号公報等により既に開示されている。
【特許文献１】特開平１−１７４３０１号公報
【発明の開示】
【発明が解決しようとする課題】
【０００３】
しかるに、上記従来の茶園管理用台車においては、次のような問題がある。
【０００４】
（イ）傾斜地に設けられた茶園においては、畝は傾斜地における傾斜方向と直角の水平方向に形成されている。このような茶園にレールを敷設する場合には、レールは傾斜地における傾斜方向と直角の水平方向に畝を挟んだ状態で敷設される。即ち、レールは畝間に１本ずつ敷設され、茶園管理用台車は畝の茶樹を跨いだ状態で一対のレール上を走行する。従って、茶園管理用台車が乗る一対のレールは、左右で高さが異なることになる。換言すれば、傾斜地に敷設されたレール上の茶園管理用台車は畝の茶樹を跨いで傾斜した状態となる。
【０００５】
しかしながら、上記従来の茶園管理用台車は、傾斜地に敷設された左右で高さが異なる一対のレール上を走行するための手段を備えていない。
【０００６】
（ロ）茶園管理用台車が一つの畝の茶樹（第一の畝の茶樹）の作業を終えた後、該茶園管理用台車を第一の畝に隣接する傾斜地の上側又は下側の第二の畝に移すためには、第一の畝用のレールと第二の畝用のレールとを茶園の側傍に敷設した連結用レールを介して連結させ、茶園管理用台車を第一の畝用のレールから連結部を介して第二の畝用のレールまで走行させるという手法、又は、第一の畝用のレール上にある茶園管理用台車を第一の畝用のレールから持ち上げて第二の畝用のレール上まで運ぶという手法を採らなければならない。第三以降の畝用のレールについても同様である。
【０００７】
しかしながら、前者の手法においては、各畝用のレールを相互に連結するための連結用レールを敷設するために、茶園の側傍に大きな空きスペースを用意する必要がある。このような空きスペースは、茶葉の生産には直接役に立たないという意味で無駄なものである。
【０００８】
また、後者の手法においては、茶園管理用台車を一つの畝用のレールから持ち上げて別の畝用のレール上まで運ぶ作業は、複数の作業者を必要とするため、人手不足に悩む茶葉生産農家にとっては大きな問題となる。
【０００９】
本発明は、上記従来の茶園管理用台車における上述の如き問題を解決しようとしてなされたものである。
【課題を解決するための手段】
【００１０】
上記課題を解決するために、本発明は下記の茶園管理用台車を提供する。
【００１１】
（１）茶園において畝を挟んだ状態で敷設された左右一対のレール上を走行する茶園管理用台車において、
茶摘機、刈ナラシ機、消毒装置等の作業装置を取り付ける支持枠と下端に車輪を備えた左右一対の脚部とよりなり、各脚部の上端を、各脚部が支持枠に対しレールの長さ方向と直角の方向に回動自在になるように、該支持枠に取り付け、該支持枠と各脚部との間には各脚部を該支持枠に対し所望の角度にてロックするロック手段を備えさせたことを特徴とする茶園管理用台車（請求項１）。
【００１２】
（２）前記支持枠は左右各脚部に対しそれぞれ水平方向に回動自在である（請求項２）。
【００１３】
（３）前記ロック手段は、中空の筒状体の開口端にばね体を固定し、該ばね体には挿通孔を備えさせ、雄ねじ棒をばね体の挿通孔と筒状体とに進退自在に挿通させ、ばね体には複数に分割した雌ねじ体を雄ねじ棒に臨ませた状態で取り付け、ばね体は常時雌ねじ体を雄ねじ棒から離れる方向に付勢し、更に、雄ねじ棒には締付けキャップを雄ねじ棒の長さ方向に移動自在に外嵌し、該締付けキャップをばね体に嵌め付けることにより雌ねじ体が雄ねじ棒に螺合するようにしてなるものである（請求項３）。
【００１４】
なお、本出願において「左右」とは、レールの長さ方向と直角の方向、即ち、茶園管理用台車の走行方向と直角の方向をいう。
【００１５】
［発明の作用］
［請求項１の発明］
レールが傾斜地における傾斜方向と直角の水平方向に敷設されている場合には、茶園管理用台車が乗る一対のレールは、左右で高さが異なるのであるが、左右一対の脚部をそれぞれ鉛直状態になるように支持枠に対して回動させ、各脚部を支持枠に対し当該角度にてロック手段によりロックする。しかるときは、支持枠は傾斜した状態となるが、各脚部が鉛直状態となるため、茶園管理用台車はレール上にて安定する。即ち、茶園管理用台車は、図２における実線に示された状態となる。
【００１６】
［請求項２の発明］
一つの畝用のレール上の茶園管理用台車を隣接する別の畝用のレールに移す際には、一つの畝用の一対のレール（図２における符号７ａ、７ａ’）のうち、当該一つの畝（５ａ）と当該別の畝（５ｂ）との畝間に位置するレール（７ａ’）上の脚部（１５ｂ）に対し、支持枠を他方の脚部（１５ａ）と共に１８０度回動させ、他方の脚部（１５ａ）を別の畝用の対応レール（７ｂ’）上に載置する。支持枠を１８０度回動させている間は、当該他方の脚部（１５ａ）は元のレールから離れ、支持枠に吊下げされた状態となる。因みに、当該一方の脚部（１５ｂ）は元のレールに乗ったままである。図２参照。支持枠に対する各脚部の角度は、必要に応じて調整する。
【００１７】
［請求項３の発明］
ロック手段において、締付けキャップをばね体の力に効して該ばね体に嵌め付けたときには、雌ねじ体が雄ねじ棒に螺合して雄ねじ棒は筒状体に対し進退不能となり、ロックされる。締付けキャップをばね体から外したときには、ばね体はその力により雌ねじ体を雄ねじ棒から離し、雄ねじ棒は筒状体に対し進退自在となり、ロックが解除される。即ち、ロック手段は、所望の長さに設定することができる。
【００１８】
従って、ロック手段を用いれば、各脚部を支持枠に対し所望の角度にてロックすることができる。
【発明の効果】
【００１９】
［請求項１の発明］
レールが傾斜地における傾斜方向と直角の水平方向に敷設されている場合には、茶園管理用台車が乗る一対のレールは、左右で高さが異なるのであるが、左右一対の脚部をそれぞれ鉛直状態になるように支持枠に対して回動させ、各脚部を支持枠に対し当該角度にてロック手段によりロックすることができる。しかるときは、支持枠は傾斜した状態となるが、各脚部が鉛直状態となるため、茶園管理用台車はレール上にて安定する。従って、茶園管理用台車は、一対のレールが左右で高さが異なる場合でも、支障なく使用することができる。
【００２０】
［請求項２の発明］
一つの畝用のレール上の茶園管理用台車を隣接する別の畝用のレールに移す際には、一方の脚部をレールに乗せたまま、支持枠を他方の脚部と共に１８０度回動させ、他方の脚部を別の畝用の対応レール上に載置すればよいため、このような移動作業は大きな力を必要とするものではなく、一人の作業者が単独で行なうことができる。
【００２１】
また、各畝用のレールを相互に連結するための連結用レールを敷設する必要がないため、連結用レールの敷設に要するスペースは不要となり、その分、茶園の栽培スペースを増やすことができる。
【００２２】
［請求項３の発明］
ロック手段を用いれば、各脚部を支持枠に対し所望の角度にて容易且つ確実にロックすることができる。
【発明を実施するための最良の形態】
【００２３】
符号１に示すものは茶園管理用台車である。茶園管理用台車１は、従来の茶園管理用台車と同様に、茶園３において畝５を挟んだ状態で敷設された左右一対のレール７上を走行する。
【００２４】
即ち、図２に示すように、畝５ａを挟んだ状態でレール７ａ、７ａ’が敷設され、該５ａに隣接する畝５ｂを挟んだ状態でレール７ｂ、７ｂ’が敷設されている。なお、レール７は畝間に１本ずつ配設すれば足りるため、図２に示す事例において、畝５ａと畝５ｂとの畝間に配設された畝５ａ用の一方のレール７ａ’は畝５ｂ用の一方のレール７ｂを兼ねている。
【００２５】
しかして、本発明による茶園管理用台車１は、茶摘機、刈ナラシ機、消毒装置等の作業装置９を取り付ける支持枠１１と下端にレール７に対応する車輪１３を備えた左右一対の脚部１５ａ、１５ｂとよりなる。
【００２６】
図３、図４に示す事例においては、支持枠１１に取付台１７を該支持枠１１の左右方向に移動自在に取り付け、該取付台１７に回動軸１９を介して茶摘機９を回動自在に取り付けている。
【００２７】
図３、図４に示す事例においては、茶園管理用台車１をレール７上を一方向に走行させて茶摘機９により畝５の茶樹２１の幅方向における半分２１ａの茶摘作業を行なった後、茶園管理用台車１における茶摘機９の位置と方向とを変えた状態で、茶園管理用台車１を逆方向に走行させて茶樹２１における幅方向の残りの半分２１ｂの茶摘作業を行なうようにしている。
【００２８】
図示の事例においては、左右各脚部１５ａ、１５ｂはそれぞれ２本ずつの脚２３ａ、２３ａ、２３ｂ、２３ｂを備えている。
【００２９】
各脚部１５ａ、１５ｂの上端（即ち、図示の事例においては脚２３ａ、２３ａ、２３ｂ、２３ｂの上端２３ａ’、２３ａ’、２３ｂ’、２３ｂ’）を、各脚部１５ａ、１５ｂが支持枠１１に対しレール７の長さ方向と直角の方向に回動自在になるように、該支持枠１１に取り付ける。図３参照。
【００３０】
また、支持枠１１は左右各脚部１５ａ、１５ｂに対しそれぞれ水平方向に回動自在である。
【００３１】
即ち、支持枠１１と左右各脚部１５ａ、１５ｂとの関係の一例を図１、図５に示す。次に、この事例における支持枠１１と一方の脚部１５ａとの関係を説明するが、支持枠１１と他方の脚部１５ｂとの関係もこれと同様である。
【００３２】
一方の脚部１５ａにおける脚２３ａ、２３ａの上端２３ａ’、２３ａ’を、該脚２３ａ、２３ａが支持枠１１に対しレール７の長さ方向と直角の方向に回動自在になるように、水平方向の第一回動軸２５ａ、２５ａを介して連結部材２７に連結し、該連結部材２７と支持枠１１の対応端部とを、垂直方向の第二回動軸２９を介して、支持枠１１が左右各脚部１５ａ、１５ｂに対しそれぞれ水平方向に回動自在になるように、連結する。第一回動軸２５ａ、２５ａは脚２３ａ、２３ａの回動中心となり、第二回動軸２９は支持枠１１の回動中心となる。図５参照。なお、図５における符号３０は支承体である。
【００３３】
支持枠１１と各脚部１５ａ、１５ｂとの間には各脚部１５ａ、１５ｂを該支持枠１１に対し所望の角度にてロックするロック手段３１を備えさせる。
【００３４】
ロック手段３１の両端３１ａ、３１ｂは、それぞれ支持枠１１と各脚部１５ａ（１５ｂ）に対して回動自在に取り付けられる。また、ロック手段３１の少なくとも一端３１ａ又は３１ｂは、支持枠１１又は各脚部１５ａ（１５ｂ）に対して取り外し自在である。図６参照。即ち、支持枠１１を各脚部１５ａ、１５ｂに対して第二回動軸２９を回動中心として回動させる際には、必要に応じて、ロック手段３１の少なくとも一端３１ａ又は３１ｂを、支持枠１１又は各脚部１５ａ（１５ｂ）に対して取り外す。
【００３５】
ロック手段３１の一例を図６〜図８に示す。即ち、このロック手段３１は、中空の筒状体３３の開口端３３ａにばね体３５を固定し、該ばね体３５には挿通孔３７を備えさせ、雄ねじ棒３９をばね体３５の挿通孔３７と筒状体３３とに進退自在に挿通させ、ばね体３５には複数に分割した雌ねじ体４１を雄ねじ棒３９に臨ませた状態で取り付け、ばね体３５は常時雌ねじ体４１を雄ねじ棒３９から離れる方向に付勢し、更に、雄ねじ棒３９には締付けキャップ４３を雄ねじ棒３９の長さ方向に移動自在に外嵌し、該締付けキャップ４３をばね体３５に嵌め付けることにより雌ねじ体４１が雄ねじ棒３９に螺合するようにしてなるものである。符号４５に示すものは、締付けキャップ４３に形成された挿通孔であり、該挿通孔４５に雄ねじ棒３９が挿通される。符号４６に示すものは、雄ねじ棒３９における筒状体３３の先端に取り付けられた摺動体である。
【００３６】
図７、図８に示す事例においては、ばね体３５は締付けキャップ４３に臨む縁部にテーパ部４７が形成されており、締付けキャップ４３の内面には該テーパ部４５を押圧する押圧テーパ面４９が形成されている。
【図面の簡単な説明】
【００３７】
【図１】本発明による茶園管理用台車の一例を示す斜視図である。
【図２】同上茶園管理用台車の傾斜地における使用状態を示す正面図である。
【図３】同上茶園管理用台車に作業装置を取り付けた状態を示す正面図である。
【図４】同上の平面図である。
【図５】支持枠と脚部とを示す側面図である。
【図６】ロック手段を支持枠と脚部に取り付けた状態を示す説明図である。
【図７】ロック手段において、雄ねじ棒のロックが解除されている状態を示す断面図である。
【図８】ロック手段において、雄ねじ棒がロックされている状態を示す断面図である。
【符号の説明】
【００３８】
１  茶園管理用台車
３  茶園
５  畝
５ａ  畝
５ｂ  畝
７  レール
７ａ  レール
７ａ’  レール
７ｂ  レール
７ｂ’  レール
９  作業装置
１１  支持枠
１３  車輪
１５ａ  脚部
１５ｂ  脚部
１７  取付台
１９  回動軸
２１  茶樹
２１ａ  半分
２１ｂ  半分
２３ａ  脚
２３ａ’  上端
２３ｂ  脚
２３ｂ’  上端
２５ａ  第一回動軸
２７  連結部材
２９  第二回動軸
３１  ロック手段
３１ａ  端
３１ｂ  端
３３  筒状体
３３ａ  開口端
３５  ばね体
３７  挿通孔
３９  雄ねじ棒
４１  雌ねじ体
４３  締付けキャップ
４５  挿通孔
４６  摺動体
４７  テーパ部
４９  押圧テーパ面
【図１】
2005270061.tif 000003
【図２】
2005270061.tif 000004
【図３】
2005270061.tif 000005
【図４】
2005270061.tif 000006
【図５】
2005270061.tif 000007
【図６】
2005270061.tif 000008
【図７】
2005270061.tif 000009
【図８】
2005270061.tif 000010